(57)【要約】  無線装置はデータコールを用いてデータセッションを確立し、データ接続はデータセッション用にセットアップされる。無線装置はデータセッションが休止中に音声コールを受信または発生し、音声コールのトラフィックデータを交換し、音声コール中に必要に応じて基地局コントローラ（ＢＳＣ）間でハンドオフを行う。音声コールが終了すると、無線装置は音声コール中に新たなパケットゾーンに移動したかを判断する。これは無線装置が異なるパケットゾーンに位置するＢＳＣ間でハンドオフされた場合である。無線装置が新たなパケットゾーンに移動した場合、その後データ接続は、例えば送信すべきデータがないと表示する発生メッセージを現在のサービングＢＳＣに送信することにより更新される。ネットワークエンティティは無線装置のデータ接続を更新するために適切なアクションを実行する。
2009509419.tif 000002
【特許請求の範囲】
【請求項１】
第１のコールを介して無線装置のデータセッションを確立することと、なお、データ接続が前記データセッションをセットアップし、
前記データセッションが休止中に第２のコールを確立することと、
前記無線装置が前記第２のコール中に新たなパケットゾーンに移動したかを判断することと、そして
前記無線装置が新たなパケットゾーンに移動した場合、前記データセッションの前記データ接続を更新することとを含む、データ接続性を維持する方法。
【請求項２】
前記無線装置が新たなパケットゾーンに移動したかどうかを判断することは、
前記第２のコールの開始時に適用可能な第１のパケットゾーン識別子（ＰＺＩＤ）を判断することと、
前記第２のコールの終了時に適用可能な第２のＰＺＩＤを判断することと、そして
前記第１のＰＺＩＤが前記第２のＰＺＩＤと異なる場合、前記無線装置が新たなパケットゾーンに移動したことを表示することとを含む、請求項１に記載の方法。
【請求項３】
前記無線装置が新たなパケットゾーンに移動したかどうかを判断することは、
前記第２のコールを終了すると現在のパケットゾーン識別子（ＰＺＩＤ）を判断することと、
前記現在のＰＺＩＤがＰＺＩＤリストにあるかを判断することと、そして
前記現在のＰＺＩＤが前記ＰＺＩＤリストにない場合、前記無線装置は新たなパケットゾーンに移動したことを表示することとを含む、請求項１に記載の方法。
【請求項４】
前記第２のコールを確立するとトラフィック状態に移行することと、
前記第２のコールを終了するとアイドル状態に移行することと、そして
前記無線装置が新たなパケットゾーンに移動したかどうかの前記判断および、前記アイドル状態へ移行すると前記データセッションの前記データ接続の前記更新を実行することとを更に含む、請求項１に記載の方法。
【請求項５】
前記データセッションの前記データ接続の更新は、
送信すべきデータがないという表示を有する発信メッセージを送信することを含む、請求項１に記載の方法。
【請求項６】
前記新たなパケットゾーンのパケットゾーン識別子（ＰＺＩＤ）を保存することと、そして
前記データセッションのＰＺＩＤを使用することとを更に含む、請求項１に記載の方法。
【請求項７】
前記第２のコール中に第１の基地局コントローラ（ＢＳＣ）から第２のＢＳＣへハンドオフを実行することを更に含む、請求項１に記載の方法。
【請求項８】
前記第２のコールは前記第１のＢＳＣを介して確立され、前記第２のＢＳＣを介して終了される、請求項７に記載の方法。
【請求項９】
前記無線装置が新たなパケットゾーンに移動したかを判断することは、
前記第１のＢＳＣと関連する第１のパケットゾーン識別子（ＰＺＩＤ）を判断することと、
前記第２のＢＳＣと関連する第２のＰＺＩＤを判断することと、そして
前記第１のＰＺＩＤが前記第２のＰＺＩＤと異なる場合、前記無線装置は新たなパケットゾーンに移動したことを指示することとを含む、請求項７に記載の方法。
【請求項１０】
前記データセッションの前記データ接続の前記更新は、
送信すべきデータがないという表示を有する発生メッセージを基地局コントローラ（ＢＳＣ）に送信することと、
前記発生メッセージの確認をＢＳＣから受信することと、そして
前記データセッションのＢＳＣと関連するパケットゾーン識別子（ＰＺＩＤ）を保存することとを更に含む、請求項１に記載の方法。
【請求項１１】
前記データセッションの前記データ接続の前記更新は、
前記ＢＳＣと関連する前記ＰＺＩＤを有するＰＺＩＤリストを更新することを更に含む、請求項１０に記載の方法。
【請求項１２】
第１のコールを介して無線装置のデータセッションを確立する機能と、前記データセッションが休止中に第２のコールを確立する機能と、前記無線装置が前記第２のコール中に新たなパケットゾーンに移動したかを判断する機能と、前記無線装置が新たなパケットゾーンに移動した場合、前記データセッションのデータ接続を更新する機能とを果たすプロセッサと、そして
前記データセッションの情報を保存する機能を果たすメモリとを具備する装置。
【請求項１３】
前記プロセッサは前記第２のコールの開始時に適用可能な第１のパケットゾーン識別子（ＰＺＩＤ）を判断する機能と、前記第２のコールの終了時に適用可能な第２のＰＺＩＤを判断する機能と、そして前記第１のＰＺＩＤが前記第２のＰＺＩＤと異なる場合、前記無線装置が新たなパケットゾーンに移動したことを判断する機能とを果たす、請求項１２に記載の装置。
【請求項１４】
前記メモリは前記新たなパケットゾーンのパケットゾーン識別子（ＰＺＩＤ）を保存する機能を果たし、前記プロセッサは前記データセッションの前記ＰＺＩＤを使用する機能を果たす、請求項１２に記載の装置。
【請求項１５】
前記プロセッサは、前記第２のコール中に第１の基地局コントローラ（ＢＳＣ）から第２のＢＳＣにハンドオフを実行する機能と、前記第１のＢＣＳと関連する第１のパケットゾーン識別子（ＰＺＩＤ）を判定する機能と、前記第２のＢＳＣと関連する第２のＰＺＩＤを判断する機能と、そして前記第１のＰＺＩＤが前記第２のＰＺＩＤとは異なる場合、前記無線装置が新たなパケットゾーンに移動したことを判断する機能とを果たす、請求項１２に記載の装置。
【請求項１６】
前記データセッションの前記データ接続を更新するために、前記プロセッサは送信すべきデータがないという表示を有する発生メッセージを送信する機能を果たす、請求項１２に記載の装置。
【請求項１７】
第１のコールを介して無線装置のデータセッションを確立する手段と、なおデータ接続は前記データセッション用にセットアップされ、
前記データセッションが休止中に第２のコールを確立する手段と、
前記無線装置が前記第２のコール中に新たなパケットゾーンに移動したかを判断する手段と、そして
前記無線装置が新たなパケットゾーンに移動した場合、前記データセッションの前記データ接続を更新する手段とを含む装置。
【請求項１８】
前記無線装置が新たなパケットゾーンに移動したかどうかを判断する手段は、
前記第２のコールの開始時に適用可能な第１のパケットゾーン識別子（ＰＺＩＤ）を判断する手段と、
前記第２のコールの終了時に適用可能な第２のＰＺＩＤを判断する手段と、そして
前記第１のＰＺＩＤが前記第２のＰＺＩＤと異なる場合、前記無線装置が新たなパケットゾーンに移動したことを表示する手段とを含む、請求項１７に記載の装置。
【請求項１９】
前記第２のコール中に第１の基地局コントローラ（ＢＳＣ）から第２のＢＳＣへハンドオフを実行する手段と、
前記第１のＢＳＣと関連する第１のパケットゾーン識別子（ＰＺＩＤ）を判断する手段と、
前記第２のＢＳＣと関連する第２のＰＺＩＤを判断する手段と、そして
前記第１ＰＺＩＤが前記第２のＰＺＩＤと異なる場合、前記無線装置は新たなパケットゾーンに移動したことを表示する手段とを含む、請求項１７に記載の装置。
【請求項２０】
前記データセッションの前記データ接続を更新する前記手段は、
送信すべきデータがないという表示を有する発生メッセージを送信する手段を含む、請求項１７に記載の装置。
【請求項２１】
無線装置において、
第１のコールを介して前記無線装置のデータセッションを確立することと、なおデータ接続が前記データセッション用にセットアップされ、
前記データセッションが休止中に第２のコールを確立することと、
前記無線装置が前記第２のコール中に新たなパケットゾーンに移動したことを判断することと、そして
前記無線装置が新たなパケットゾーンに移動した場合、前記データセッションの前記データ接続を更新することのために
動作可能な命令を保存するプロセッサ可読媒体。
【請求項２２】
前記第２のコールの開始時に適用可能な第１のパケットゾーン識別子（ＰＺＩＤ）を判断し、
前記第２のコールの終了時に適用可能な第２のＰＺＩＤを判断し、そして
前記第１のＰＺＩＤが前記第２のＰＺＩＤと異なる場合、前記無線装置が新たなパケットゾーンに移動したことを表示する動作可能な命令を更に保存するための、請求項２１に記載のプロセッサ可読媒体。
【請求項２３】
前記第２のコール中に第１の基地局コントローラ（ＢＳＣ）から第２のＢＳＣにハンドオフを実行し、
前記第１のＢＳＣと関連する第１のパケットゾーン識別子（ＰＺＩＤ）を判断し、
前記第２のＢＳＣと関連する第２のＰＺＩＤを判断し、そして
前記第１のＰＺＩＤが前記第２のＰＺＩＤと異なる場合、前記無線装置が新たなパケットゾーンに移動したことを表示する動作可能な命令を更に保存するための、請求項２１に記載のプロセッサ可読媒体。
【請求項２４】
送信すべきデータがないという表示を有する発生メッセージを送信するために動作可能な命令を更に保存するための、請求項２１に記載のプロセッサ可読媒体。
【請求項２５】
非データコールについて無線装置と通信すること、なお前記無線装置は前記非データコール中に休止するデータセッションを有し、
前記非データコールを終了すること、
送信すべきデータがないという表示を有する発生メッセージを前記無線装置から受信すること、なお前記発生は前記非データコール中に前記無線装置のパケットゾーンにおける変化に応答して送信され、そして
前記無線装置の前記データセッションのデータ接続を更新することとを含む
無線装置のデータ接続性を維持する方法。
【請求項２６】
第１の基地局コントローラ（ＢＳＣ）から第２のＢＳＣへの前記無線装置のハンドオフに応答して前記無線装置の前記非データコールをセットアップすることを更に含む、請求項２５に記載の方法。
【請求項２７】
前記無線装置の前記データセッションの前記データ接続の前記更新は、前記新たなパケットゾーンをサーブするパケット制御機能（ＰＣＦ）にセットアップメッセージを送信することを含む、請求項２５に記載の方法。
【請求項２８】
前記発生メッセージの確認を前記無線装置に送信することを更に含む請求項２５に記載の方法。
【請求項２９】
前記発生メッセージを終了するための開放命令を前記無線装置に送信することを更に含む、請求項２５に記載の方法。
【請求項３０】
非データコールについて無線装置と通信するように動作する通信ユニットと、なお前記無線装置は前記非データコール中に休止するデータセッションを有し、そして
前記非データコールを終了するように、送信すべきデータがないという表示を有する発生メッセージを無線装置から受信するように、そして前記発生メッセージに応答して前記無線装置の前記データセッションのデータ接続を更新するように動作し、なお前記発生は前記非データコール中に前記無線装置のパケットゾーンにおける変化に応答して送信される、プロセッサと
を具備する装置。
【請求項３１】
前記プロセッサは第１の基地局コントローラ（ＢＳＣ）から第２のＢＳＣへの前記無線装置のハンドオフに応答して前記無線装置の前記非データコールをセットアップするように動作する請求項３０に記載の装置。
【請求項３２】
非データコールについて無線装置と通信する手段と、なお前記無線装置は前記非データコール中に休止であるデータセッションを有し、
前記非データコールを終了する手段と、
送信すべきデータがないという表示を有する発生メッセージを前記無線装置から受信する手段と、なお前記発生は前記非データコール中に前記無線装置のパケットゾーンにおける変化に応答して送信され、そして
前記発生メッセージに応答して前記無線装置の前記データセッションのデータ接続を更新する手段と
を具備する装置。
【請求項３３】
第１の基地局コントローラ（ＢＳＣ）から第２のＢＳＣへの前記無線装置のハンドオフに応答して前記無線装置の前記非データコールをセットアップする手段を更に具備する、請求項３２に記載の装置。
【発明の詳細な説明】
【技術分野】
【０００１】
本開示は一般的には通信に関するものであり、より詳細には無線通信ネットワークを用いて休止中データセッション(dormant data session)中のデータ接続を維持する技術に関するものである。
【背景技術】
【０００２】
無線通信ネットワークは、音声、パケットデータ、ブロードキャスト、メッセージングなどのような様々な通信サービスを提供するために広く導入されている。これらの無線ネットワークは、利用可能なシステムリソースを共有することにより複数のユーザにとの通信をサポートすることが可能なマルチアクセスネットワークである。このようなマルチアクセスネットワークの例には、符号分割多元接続（ＣＤＭＡ）ネットワーク、時分割多元接続（ＴＤＭＡ）ネットワーク、周波数分割多元接続（ＦＤＭＡ）ネットワークおよび直交周波数分割多元接続（ＯＦＤＭＡ）ネットワークが含まれる。
【０００３】
無線装置（例えば携帯電話）は無線ネットワークを用いてデータセッション（data session）を確立するためにパケットデータコールを発生する。データコール起動の一部として、データ接続は、サービングネットワークエンティティと呼ばれる、データセッション中に無線装置をサーブするネットワークエンティティにおいて確立される。その後、無線装置はサービングネットワークエンティティを介してパケットデータを送信又は受信する。データセッションは短時間のみ散発的にアクティブでもよく、また多くの時間休止中でもよい。
【０００４】
無線装置はデータセッションが休止中は放浪し、サービングネットワークエンティティの受信可能範囲外に出る。場合によっては、無線装置はデータセッション中の無線装置にサーブすることができる新たなネットワークエンティティへのデータ接続を更新することができない。これは、例えば、無線装置が現行の音声コールを有していて、データセッション中のデータ接続を更新するために音声コール中にシグナリングを送信することを許可されない場合である。データ接続が更新されず、無線ネットワークがその後無線装置へ送信するパケットデータを有する場合、データ接続はエラーであるので無線装置はパケットデータを逃す。
【０００５】
従って、休止データセッション中にデータ接続を維持する技術が必要である。
【発明の開示】
【０００６】
［概要］
無線通信ネットワークを用いて休止データセッション中にデータ接続を維持する技術がここにおいて記載されている。無線装置はデータコールを介してデータセッションを確立し、データ接続はデータセッション中にセットアップされる。データセッションは、データセッションが確立される際に無線装置が位置しているパケットゾーン（packet zone）のパケットゾーン識別子（ＰＺＩＤ; packet zone identifier）のような、状態情報と関連している。
【０００７】
その後、データセッションが休止中に無線装置は第２のコール（例えば音声コール）を受信あるいは発生して、その後トラフィック状態（Traffic state）に移行する。無線装置は第２のコールと引き換えにトラフィックデータを交換して、必要であれば第２のコール中に基地局コントローラ（ＢＳＣ）間でハンドオフを行う。第２のコールが終了すると、無線装置はアイドル（Idle state）状態に移行し、第２のコール中に新たなパケットゾーンに移動したかを判断する。これは、異なるパケットゾーンに位置するＢＳＣ間で無線装置がハンドオフされる場合である。無線装置が新たなパケットゾーンに移動した場合、データセッション中のデータ接続は、例えば送信すべきデータがないという表示を有する発生メッセージを現在サーブ中のＢＳＣに送信することにより更新される。ネットワークエンティティは無線装置のデータ接続を更新するために適切なアクションを実行する。無線装置はデータセッション中に新たなパケットゾーンのＰＺＩＤを用いる。
【０００８】
本発明の様々な側面及び実施例は更に詳しく下に記載されている。
【０００９】
本発明の特徴及び性質は、同等の参照記号が全体に渡って対応して識別している図面と共に利用されると、下記に記載の詳細な説明からより明らかになるであろう。
【００１０】
［詳細な記載］
「例えば」という単語はここにおいては「実例あるいは説明として」を意味するために用いられる。ここにおいて「模範的」と記述されている実施例あるいはデザインは他の実施例あるいはデザインよりも、必ずしも好ましいもしくは優れていると解釈されない。
【００１１】
ここに記載のデータ接続を維持する技術は、ＣＤＭＡ、ＴＤＭＡ、ＦＤＭＡおよびＯＦＤＭＡネットワークのような様々な通信ネットワークに用いられる。ＣＤＭＡネットワークはｃｄｍａ２０００あるいは広帯域ＣＤＭＡ（Ｗ−ＣＤＭＡ）のような無線アクセス技術（ＲＡＴ）を用いる。ＲＡＴは無線通信用に用いられる技術を指す。ｃｄｍａ２０００はＩＳ−９５、ＩＳ−２０００およびＩＳ−８５６標準をカバーする。ＴＤＭＡネットワークは欧州デジタル携帯電話統一システム規格（ＧＳＭ）あるいはデジタルアドバンスドモバイル電話システム（Ｄ−ＡＭＰ;Digital Advanced Mobile Phone System）のようなＲＡＴを用いる。ＧＳＭネットワークはパケットデータ送信のジェネラルパケット無線サービス（ＧＰＲＳ）を用いる。Ｗ−ＣＤＭＡおよびＧＳＭは第３のジェネレーションパートナープロジェクト（３ＧＰＰ）と呼ばれるコンソーシアムからのドキュメントに記載されている。ｃｄｍａ２０００は「第３のジェネレーションパートナーシッププロジェクト２」（３ＧＰＰ２）と呼ばれるコンソーシアムからのドキュメントに記載されている。３ＧＰＰおよび３ＧＰＰ２ドキュメントは公的に入手可能である。理解しやすいように、ｃｄｍａ２０００ネットワークに関する技術が以下に記載される。
【００１２】
図１は無線装置の音声およびパケットデータサービスをサポートするｃｄｍａ２０００ネットワーク１００を示している。ネットワーク１００はこれらのＢＴＳの受信可能範囲内に設置されている無線装置に無線通信を提供する多くの基地受信機システム（ＢＴＳ）を含む。ＢＴＳは無線装置と通信する固定局であり、基地局、ノードＢ、アクセスポイントなどとも呼ばれる。ＢＴＳおよび／またはその受信可能範囲はしばしば「セクタ」と呼ばれる。各ＢＴＳ１２０はそのＢＴＳの調整および制御を行う基地局コントローラ（ＢＳＣ）に接続される。
【００１３】
各ＢＳＣは典型的には、任意の地理エリアに導入されている複数のＢＴＳを制御する。図１に示されている例について、ＢＳＣ１４０はロケーションＬ１においてＢＴＳ１２０を制御し、ＢＳＣ１４２はロケーションＬ２においてＢＴＳ１２２を制御する。各ＢＳＣはトラフィックチャネルの割り当てを処理し、無線装置から測定値を受信し、そのＢＳＣによって制御されるＢＴＳ間の無線装置のハンドオフを制御する。各ＢＳＣは音声サービスをサポートするモバイル切替センタ（ＭＳＣ）１６０に接続し、またパケットデータサービスをサポートするパケット制御機能（ＰＣＦ;packet control function）１５０に接続する。ＭＳＣ１６０は配線を回線交換コールに提供し、ＭＳＣによってサーブされるエリア内に設置されている無線装置の移動管理を行う。ＭＳＣ１６０は、従来の普通の旧型電話（ＰＯＴＳ）をサーブする公衆交換電話網（ＰＳＴＮ）１６２に接続する。
【００１４】
各ＰＣＦ１５０はパケットデータサービングノード（ＰＤＳＮ）１７０に接続し、そのＰＣＦとＰＤＳＮとに接続されるＢＳＣ間のパケットデータの送信を制御する。各ＰＣＦによってサーブされるエリアはパケットゾーンと呼ばれ、特有のＰＺＩＤによって識別される。ＰＤＳＮ１７０は無線装置のパケットデータサービスをサポートする。例えば、ＰＤＳＮ１７０は、無線装置のＰＰＰ（ポイント・トゥ・ポイントプロトコル）セッションの確立、維持および終了を担当していて、更にそれらの無線装置に動的インターネットプロトコル（ＩＰ）アドレスを割り当てる。ＰＤＳＮ１７０は、インターネットおよび／またはいくつかの他のパブリックおよび／またはプライベートデータネットワークであるデータネットワーク１７２に接続する。データサーバ１８０および他のエンティティはデータネットワーク１７２にも接続し、ＰＤＳＮ１７０とパケットデータを交換する。
【００１５】
ネットワーク１００内のネットワークエンティティは所定のインターフェースを介して通信する。例えば、ＢＳＣ１４０および１４２は、無線装置のアンカーＢＳＣであるソースＢＳＣ（およびターゲットＢＳＣではない）からターゲットＢＳＣにハンドオフされる、例えば無線装置のＡ３及びＡ７インターフェースを介してトラフィックデータとシグナリングを交換する。ＢＳＣ１４０／１４２およびＰＣＦ１５０／１５２はＡ８インターフェースを介してトラフィックデータを交換し、Ａ９インターフェースを介してシグナリングを交換する。ＰＣＦ１５０／１５２およびＰＤＳＮ１７０はＡ１０インターフェースを介してトラフィックデータを交換し、Ａ１１インターフェースを介してシグナリングを交換する。他のネットワークエンティティ間のインターフェースは簡潔にするために図１には示されていない。
【００１６】
無線装置１１０は、無線装置がアクティブか否か、そして無線装置がハンドオフ状態か否かによって、任意の瞬間においてゼロ、１、あるいは複数のＢＴＳと通信する。無線装置１１０は移動局（ＭＳ）、ユーザ装置（ＵＥ）、ユーザ端末などと呼ばれる。無線装置１１０は携帯電話、個人用携帯型情報端末（ＰＤＡ）、モデムカード、あるいはいくつかの他の無線通信機器あるいは装置でもよい。無線装置１１０は端末装置１１２に接続され、端末装置用の無線データサービスを提供／サポートするために用いられる。端末装置１１２はラップトップコンピュータ、ＰＤＡ、あるいはいくつかの他の計算装置でもよい。
【００１７】
無線装置１１０をサーブするネットワークエンティティはサービングネットワークエンティティ(“serving” network entity)と呼ばれる。無線装置１１０がハンドオフされるネットワークエンティティはターゲットネットワークエンティティと呼ばれる。図１に示されている例に関して、ＢＳＣ１４０およびＰＣＦ１５０は無線装置１１０のそれぞれサービングＢＳＣおよびサービングＰＣＦであり、サービングＢＳＣ／ＰＣＦ１３０と総称して呼ばれる。ＢＳＣ１４２とＰＣＦ１５２は無線装置１１０のそれぞれターゲットＢＳＣおよびターゲットＰＣＦであり、ターゲットＢＳＣ／ＰＣＦ１３２と総称して呼ばれる。ＢＳＣ１４０およびＰＣＦ１５０にサーブされるエリアはロケーションＬ１と呼ばれ、ＢＳＣ１４２およびＰＣＦ１５２にサーブされるエリアはロケーションＬ２と呼ばれる。ＰＣＦ１５０はＰ１のＰＺＩＤを割り当てられ、ＰＣＦ１５２はＰ２のＰＺＩＤを割り当てられる。
【００１８】
ここに記載の技術は、図１に示されているように、無線装置があるＢＳＣからもう一つのＢＳＣにハンドオフされるハードハンドオフ（ＨＨＯ;hard handoff）シナリオについて用いられる。本技術はまた、無線装置が新たなＢＴＳ（例えばＢＴＳ１２２）に移動するが、コール制御は現在のサービングＢＳＣ（例えばＢＳＣ１４０）によってなお維持されるインターＢＳＣソフトハンドオフ（ＳＨＯ;soft handoff）シナリオについて用いられる。ＳＨＯシナリオについて、サービングＢＳＣは、それら２つのＢＳＣ間のＡ３／Ａ７接続を介して新たなＢＳＣ（例えばＢＳＣ１４２）に無線装置のメッセージおよびデータをルーティングし、新たなＢＳＣはメッセージおよびデータを新たなＢＴＳに転送する。
【００１９】
図２は無線装置１１０によるパケットデータコール発生に関するコールフロー２００を示している。無線装置１１０はパケットデータコールを発生するためにユーザ要求を受信する。ユーザ要求に応答して、無線装置１１０はパケットデータサービスを要求するためにサービングＢＳＣにサービングＢＴＳ１２０を介して発生メッセージを送信する（工程１）。発生メッセージは、たとえば配置されているコールのタイプ、コールの機能などを表示するサービスオプション（ＳＯ）のような関連情報を含む。発生メッセージはまた、新たなデータコールに関して１と設定され、あるいは、ＰＰＰが確立される必要がある場合は他の全コールに関して０と設定されるデータ送信準備済み（ＤＲＳ）フィールドを含む。
【００２０】
サービングＢＳＣ１４０はその後、無線装置１１０からの要求を含む接続管理（ＣＭ;Connection Management）サービス要求メッセージをＭＳＣ１６０に送信する（工程２）。ＭＳＣ１６０は要求を受け入れ、その後無線装置１１０に無線リソースを割り当てるようそのＢＳＣに要求するためにＢＳＣ１４０に割り当て要求メッセージを送信する（工程３）。ＢＳＣ１４０および無線装置１１０はその後、トラフィックチャネルをセットアップするためにシグナリングを交換する（工程４）。ＢＳＣ１４０はその後、パケットデータサービスインスタンス（ＰＤＳＩ;packet data service instance）の起動用のＡ８接続の確立を要求するためにＡ９セットアップＡ８メッセージをサービングＰＣＦ１５０に送信する（工程５）。このＡ９セットアップＡ８メッセージは国際モバイル加入者識別（ＩＭＳＩ）あるいは、無線装置１１０、接続リファレンス、サービスパラメータの品質、サービスオプションなどを独自に識別する電子シリアル番号（ＥＳＮ）を含む。
【００２１】
ＰＣＦ１５０はＢＳＣ１４０からＡ９セットアップＡ８メッセージを受信し、Ａ１０接続が無線装置１１０に利用可能でないことを認識する。ＰＣＦ１５０はその後、無線装置１１０を用いてデータセッションのＰＣＦセッション識別子（ＰＣＦ  ＳＩＤ）を割り当て、ＰＤＳＮ選択アルゴリズムに基づいて無線装置１１０をサーブするためにＰＤＳＮを選択する。ＰＣＦ１５０はその後、無線装置１１０のＡ１０接続の確立を開始するために、選択したＰＤＳＮ１７０にＡ１１登録要求メッセージを送信する（工程６）。Ａ１１登録要求メッセージは無線装置１１０のＩＭＳＩ、ＰＣＦ  ＳＩＤ、ＰＣＦ１５０のＩＰアドレス、Ａ１０接続の寿命および他の関連情報を含む。
【００２２】
ＰＤＳＮ１７０はＰＣＦ１５０からのＡ１１登録要求メッセージを確認し、Ａ１０接続要求を受け入れ、ＰＣＦ  ＳＩＤと同等に設定されているＰＤＳＮセッション識別子（ＰＤＳＮ  ＳＩＤ）を割り当てる。ＰＤＳＮ１７０は、ＰＤＳＮ  ＳＩＤと無線装置１１０のＩＭＳＩとの関連、セッション参照ＩＤ、およびＰＣＦアドレスを含む、Ａ１０接続の結合記録を生成する。ＰＤＳＮ１７０はその後、接続要求の受け入れを指示するためにＡ１１登録返信メッセージをＰＣＦ１５０に返還する（工程７）。ＰＣＦ１５０およびＰＤＳＮ１７０はその後、（工程６においてＡ１１登録要求メッセージにおいて送信された）ＰＣＦ  ＩＰアドレスと、（工程７においてＡ１１登録返信メッセージにおいて変換された）ＰＤＳＮ  ＩＰアドレスとを、無線装置１１０と交換されるパケットデータのＡ１０接続エンドポイントとして使用する。ＰＣＦ１５０とＰＤＳＮ１７０はそれぞれ、無線装置１１０のＩＭＳＩおよびＭＮセッション参照ＩＤとＡ１０接続との関連を維持する。Ａ１０接続はデータ接続と呼ばれてもよい。
【００２３】
ＰＣＦ１５０はその後、Ａ８接続の正常なセットアップを表示するＡ９接続Ａ８メッセージをＢＳＣ１４０に送信する。ＢＳＣ１４０は無線装置１１０への無線リソース割り当ての正常な完成を表示するために割り当て完成メッセージをＭＳＣ１６０に送信する（工程９）。ＢＳＣ１４０は更に、データ接続の正常な確立を表示するためにサービス接続メッセージを無線装置１１０に送信する（工程１０）。
【００２４】
無線装置１１０は、データセッション中の無線装置をサーブすることができる全ＰＣＦのＰＺＩＤを含むＰＺＩＤリストを維持する。無線装置１１０はサービングＰＣＦ１５０のＰＺＩＤ  Ｐ１を有するそのＰＺＩＤリストを初期化する。無線装置１１０およびＰＤＳＮ１７０はＰＰＰ接続を確立するために、また該当する場合にはモバイルＩＰ登録のために、シグナリングを交換する（工程１１）。無線装置１１０およびＰＤＳＮ１７０はその後、サービングＢＳＣ１４０とサービングＰＣＦ１５０とを経由してパケットデータを交換する（工程１２）。
【００２５】
ＰＤＳＮ１７０はサービングＰＣＦ１５０によって送信されてＰＤＳＮ１７０によって受け入れられた寿命までの間、無線装置１１０のデータセッションを維持する。寿命は典型的には長く（例えば、数時間あるいは数日）、ＩＰアドレス、セキュリティなどの利用可能性のような様々な要因に基づいてネットワークオペレータにより設定される。このようにデータセッションは長時間である。パケットデータがデータセッション中に無線装置１１０のＰＣＦ１５０とＰＤＳＮ１７０を経由して交換されることができるために、サービングＰＣＦ１５０およびＰＤＳＮ１７０はそれぞれデータセッション中の関連状態情報（例えばＡ１０接続の情報）を保存する。
【００２６】
無線装置１１０はデータセッション中の任意の瞬間にいくつかのパケットデータサービス状態のうち１つにおいて動作する。例えば、無線装置１１０はＰＤＳＮ１７０と交換すべきパケットデータが存在するときはいつもアクティブ接続状態にあり、また交換すべきパケットデータが存在しないならば休止状態にある。データセッションは休止状態の間、休止中であると考えられる。無線装置１１０はデータセッション中に必要に応じてアクティブ状態と休止状態とを移行する。無線装置１１０は確立されたＡ１０接続を用いてサービングＰＣＦ１５０とＰＤＳＮ１７０を経由してパケットデータを他のエンティティ（例えばデータサーバ１８０）とパケットデータを散発的に交換する。無線リソースを保存するために、無線接続はパケットデータを交換する必要に応じて無線装置１１０とサービングＢＴＳとの間で確立され、交換すべきデータがないときは解体される。
【００２７】
無線装置１１０は任意の瞬間にいくつかの層３処理状態のうち１つの状態において動作する。例えば、無線装置１１０は交換すべきトラフィックデータがない場合はアイドル状態にあり、あるいはトラフィックデータをサービングＢＴＳと積極的に交換するためにトラフィック状態にある。アイドル状態において、無線装置１１０はページングチャネル（ＰＣＨ）および／またはメッセージの他のオーバーヘッドチャネルを監視し、必要に応じてアイドルハンドオフを実行し、コールを受信または発生し、移行を受信または開始し、他の動作を実行する。トラフィック状態において、無線装置１１０はサービングＢＴＳとトラフィックデータを交換するために、確保されたトラフィックチャネルを割り当てられる。無線装置１１０は送信すべきトラフィックデータが存在するか否かによって、アイドル状態とトラフィック状態との間を移行する。
【００２８】
図３は、データセッションが休止中に音声コール中の異なるパケットゾーンにおいてＢＳＣ間で無線装置１１０がハンドオフされるというシナリオについての模範的コールフロー３００を示している。コールフロー３００に関して、無線装置１１０は最初アイドル状態にあり、地理エリアＬ１に設置される。無線装置１１０はＢＳＣ／ＰＣＦ１３０によってサーブされ、サービングＰＣＦ１５０のＰＺＩＤ  Ｐ１を含むＰＺＩＤリストを有する。無線装置１１０はまた、図２のコールフロー２００で確立された休止データセッションを有している。無線装置１１０のＡ１０接続はサービングＰＣＦ１５０とＰＤＳＮ１７０間であり、データセッションのＡ１０／Ａ１１はサービングセクタを示唆する（工程１）。ＭＳＣ１６０は無線装置１１０の音声コールを受信し、無線装置１１０の音声ページを起動するためにＢＳＣ１４０にコール接続要求を送信する（工程２）。ＢＳＣ１４０は無線装置１１０をページングする（工程３）。音声ページを受信すると、無線装置１１０はトラフィックチャネルをセットアップし、アイドル状態からトラフィック状態に移行し、音声トラフィックデータをサービングＢＳＣ４０と交換する（工程４）。
【００２９】
音声コール中に無線装置１１０はＢＳＣ／ＰＣＦ１３２によってサーブされる地理エリアＬ２に移動する。無線装置１１０はサービングＢＳＣ１４０から汎用ハンドオフ指示メッセージ（ＵＨＤＭ）を、そしてＢＳＣ１４０あるいは１４２のいずれかからイントラフィックシステムパラメータメッセージ（ＩＴＳＰＭ）を受信する。一般的にＩＴＳＰＭはＢＳＣがアンカーＢＳＣであるかＢＳＣがコール制御マネージャーであるかによってソースＢＳＣあるいはターゲットＢＳＣのいずれかによって送信されるが、ＵＨＤＭはソースＢＳＣによって送信される。ＵＨＤＭはターゲットＢＳＣ１４２に無線装置１１０のハンドオフを指示する。ＩＴＰＳＭはターゲットＢＳＣ１４２の無線接続（例えばトラフィックチャネル）情報およびＰＺＩＤ情報を保持する。ＢＳＣ１４０がアンカーＢＳＣであり続ける場合、ＩＴＳＰＭはＰＺＩＤ  Ｐ１を含み、その場合ＰＺＩＤには変化のないように見える。ＢＳＣ１４２がアンカーＢＳＣである場合、ＩＴＳＰＭはＰＺＩＤ  Ｐ２と、システム識別子（ＳＩＤ）と、ターゲットＢＳＣ１４２をサーブするＰＣＦ１５２のネットワーク識別子（ＮＩＤ）とを含む。この場合、無線装置１１０はＩＴＳＰＭから取得されるＰＣＦ１５２のＰＺＩＤ  Ｐ２を含むためにＰＺＩＤリストを更新する。図３に示されているように、現在のＰＺＩＤ  Ｐ２がリストのトップに配置され、データセッションがアクティブになると最初に使用されるようにＰＺＩＤリストは配列される。無線装置１１０はリストのトップから下げられたＰＺＩＤ  Ｐ１のタイマーを開始し、タイマーが満了するとそのＰＺＩＤを破棄する。このタイマーはたとえば６０秒、あるいは他の値に設定される。このように、無線装置１１０が位置Ｌ１に戻る場合には先行するＰＺＩＤ  Ｐ１はＰＺＩＤリストに一時的に保持される。
【００３０】
無線装置１１０はターゲットＢＳＣ１４２にハンドオフを行い、正常なハンドオフを表示するハンドオフ完成メッセージ（ＨＯＣＭ）を送信する（工程６）。無線装置１１０はその後、新たなサービングＢＳＣであるターゲットＢＳＣ１４２と音声トラフィックデータを交換する（工程７）。音声コールが終了すると、ＢＳＣ１４２はトラフィックチャネルの開放を開始するために無線装置１１０に開放命令を送信する（工程８）。無線装置１１０はその後、開放命令を受信するとトラフィック状態からアイドル状態に移行する。
【００３１】
無線装置１１０は休止データセッション伴うアイドル状態にあるが、データサーバ１８０は無線装置１１０のパケットデータを有し、ＰＤＳＮ１７０にそのデータを送信する（工程９）。無線装置１１０のＡ１０／Ａ１１接続はこのＰＣＦを示唆するので、ＰＤＳＮ１７０はパケットデータを受信しそのデータをＰＣＦ１５０に転送する（工程１０）。ＰＣＦ１５０は無線装置１１０のパケットデータが入ってきたことをＢＳＣ１４０に通知する。ＢＳＣ１４０はその後、無線装置１１０のデータページの要求をＭＳＣ１６０に送信する（工程１１）。ＭＳＣ１６０はその受信可能範囲内における無線装置の移動性情報を維持し、それらの無線装置のページングを制御する。ＭＳＣ１６０は無線装置ごとのＢＳＣのリストを維持し、通常の登録メカニズムに基づいてそのリストを更新する。ＭＳＣ１６０はＢＳＣ１４０からデータページ要求を受信し、データページの許可を承諾し、ＢＳＣ１４０にデータページ承諾を返送する（工程１２）。ＢＳＣ１４０はその後無線装置１１０をページングする（工程１３）。無線装置１１０は音声コールの早い時にＢＳＣ１４０の受信可能範囲から出るので、無線装置１１０はＢＳＣ１４０からデータページを逃しそうになるであろう。結果として無線装置１１０はさらに、好ましくないデータサーバ１８０からパケットデータを失うであろう。
【００３２】
図４は、データセッションが休止中において、音声コール中の異なるパケットゾーンのＢＳＣ間でハンドオフされるときにも、無線装置１１０は正しいＰＺＩＤ登録とＡ１０／Ａ１１接続を維持するというシナリオの模範的コールフロー４００を示している。コールフロー４００の工程１〜８はそれぞれ図３のコールフロー３００の工程１〜８と同一である。無線装置１１０は最初に音声コールに関してサービングＢＳＣ１４０と通信し、ターゲットＢＳＣ１４２にハンドオフされる。音声コールが終了すると、ターゲットＢＳＣ１４２はトラフィックチャネルの開放を開始するために無線装置１１０に開放命令を送信する（工程８）。
【００３３】
（「トラフィックチャネルダウン」イベントである）開放命令を受信すると、無線装置１１０はトラフィック状態からアイドル状態へ移行する。無線装置１１０はその後、以下に説明されるブロック４１０において必要ならばＰＺＩＤ登録とＡ１０／Ａ１１接続を更新する（工程９）。ブロック４１０における更新が完了すると、無線装置１１０のＡ１０接続はターゲットＰＣＦ１５２とＰＤＳＮ１７０間であり、データセッションのＡ１０／Ａ１１はターゲットセクタを正確に指示する（工程１０）。無線装置１１０は、工程５のＩＴＳＰＭあるいはブロック４１０のＰＺＩＤ登録から取得されるＰＣＦ１５２のＰＺＩＤ  Ｐ２を含むようＰＺＩＤリストを更新する。
【００３４】
無線装置１１０は休止中データセッションを有するアイドル状態にある一方、データサーバ１８０は無線装置１１０のパケットデータを有し、ＰＤＳＮ１７０にそのデータを送信する（工程１１）。無線装置１１０のＡ１０／Ａ１１接続はそのＰＣＦを指摘するので、ＰＤＳＮ１７０はターゲットＰＣＦ１５２にパケットデータを転送する（工程１２）ＰＣＦ１５２は無線装置１１０のパケットデータの受信をＢＳＣ１４２に通知し、ＢＳＣ１４２は無線装置１１０のデータページの要求をＭＳＣ１６０に送信する（工程１３）。ＭＳＣ１６０はデータページの許可を承諾し、データページ承諾をＢＳＣ１４２に送信する（工程１４）。ＢＳＣ１４２はその後、無線装置１１０をページングする（工程１５）。無線装置１１０はそのＢＳＣの受信可能範囲内にあるので、無線装置１１０はＢＳＣ１４２からデータページを受信する。無線装置１１０はデータページに応答してトラフィックチャネルをセットアップする（図４に図示なし）。パケットデータはその後、ターゲットＢＳＣ１４２、ターゲットＰＣＦ１５２およびＰＤＳＮ１７０を介してデータサーバ１８０と無線装置１１０との間で交換される（工程１６）。
【００３５】
図４に図示される実施例に関して、無線装置１１０はトラフィック状態からアイドル状態に移行後、ＰＺＩＤ登録とＡ１０接続とを更新すべきか否かを判定する。無線装置１１０はトラフィック状態中に異なるパケットゾーンに位置するＢＳＣ間でハンドオフされる場合はＰＺＩＤ登録を更新する。無線装置１１０はサービングＢＳＣ１４０からターゲットＢＳＣ１４２へのハンドオフについて送信されるＩＴＳＰＭからターゲットＰＣＦ１５２のＰＺＩＤ  Ｐ２を受信し、このＰＺＩＤはＰＺＩＤリストに含まれていないことを認識する。しかし、ｃｄｍａ２０００は同時に起こるサービスをサポートしない。このように、無線装置１１０はトラフィック状態にあり、ＰＺＩＤ登録を更新するためにもう一つのコールを発生することができないので、無線装置１１０はハンドオフ時にＰＺＩＤ登録を更新するためにシグナリングを開始することができない。無線装置１１０はトラフィック状態外に移行するまで待機し、その後その時にＰＺＩＤ登録を更新する。
【００３６】
無線装置１１０は様々な方法でＰＺＩＤ登録を更新すべきか否かを判定する。ある実施例において、無線装置１１０はトラフィック状態中に新たなパケットゾーンのＢＳＣに対してハンドオフを実行するか表示する変数を維持する。ハンドオフが新たなパケットゾーンのＢＳＣに対して行われたことをその変数が表示する場合、無線装置１１０はトラフィック状態外へ移行するとＰＺＩＤ登録を更新する。もう一つの実施例において、無線装置１１０は、トラフィック状態外へ移行すると現在のＰＺＩＤを確認し、そのＰＺＩＤがＰＺＩＤリストに含まれているかを判断する。現在のＰＺＩＤがＰＺＩＤリストにない場合、無線装置１１０はＰＺＩＤ登録を更新する。一般的に無線装置１１０が異なるパケットゾーンに位置するＢＳＣ間でハンドオフされると無線装置１１０はＰＺＩＤ登録を更新し、その判定は様々な方法でなされる。
【００３７】
図５はＰＺＩＤ登録およびＡ１０接続を更新するために無線装置１１０によって開始されるコールフローの実施例を示している。このコールフローは図４のブロック４１０に用いられる。トラフィック状態から移行すると、無線装置１１０は現在のＰＺＩＤを確認し、そのＰＺＩＤがＰＺＩＤリストにあるかを判断する（工程１）。現在のＰＺＩＤは図４のコールフロー４００の工程８において開放命令を受信後、Ｐ２である。無線装置１１０は各コールの終わりに現在のＰＺＩＤについてのその確認を実行し、現在のＰＺＩＤがＰＺＩＤリストにない場合にのみＰＺＩＤ登録を更新する。コールフロー５００に関して、現在のＰＺＩＤはＰＺＩＤリストに存在せず、無線装置１１０はＰＺＩＤ登録の更新を開始するためにターゲットＢＳＣ１４２に発生メッセージを送信する。発生メッセージのＤＲＳフィールドは、無線装置１１０が送信すべきデータを有していなく、データセッションが休止中に新たなパケットゾーンに移動した無線装置１１０の現在地のネットワークを更新するために発生要求を送信しているのみであることを表示するために「０」に設定される。ターゲット１４２は発生メッセージを受信し（工程２）、Ａ８接続の確立を要求するためにＡ９セットアップＡ８メッセージをターゲットＰＣＦ１５２に送信する（工程３）。
【００３８】
ターゲットＰＦＣ１５２はＡ９セットアップＡ８メッセージをターゲットＢＳＣ１４２から受信し、Ａ１０接続が無線装置１１０に利用可能でないことを認識する。ターゲットＰＣＦ１５２はその後、無線装置１１０を用いてデータセッションのＰＣＦ  ＳＩＤを割り当て、無線装置１１０のＰＤＳＮを選択し、無線装置１１０のＡ１０接続の確立を開始するために選択したＰＤＳＮ１７０にＡ１１登録要求メッセージを送信する（工程４）。ＰＤＳＮ１７０はターゲットＰＣＦ１５２からのＡ１１登録要求メッセージを有効化し、Ａ１０接続要求を承諾し、ＰＤＳＮ  ＳＩＤを割り当て、そのＡ１０接続の結合記録を生成する。ＰＤＳＮ１７０はその後、接続要求の承諾を表示するためにターゲットＰＣＦ１５２にＡ１１登録返信メッセージを返還する（工程５）。ターゲットＰＣＦ１５２はその後、Ａ８接続の正常なセットアップを表示するＡ９接続Ａ８メッセージをターゲットＢＳＣ１４２に送信する（工程６）。
【００３９】
ターゲット１４２は発生メッセージの確認を無線装置１１０に送信する（工程７）。送信すべきデータがないので、ターゲットＢＳＣ１４２はコールを終了するための開放命令を無線装置１１０に更に送信する（工程８）。ＰＺＩＤ登録が更新されたという確認を受信すると、無線装置１１０はターゲットＰＣＦ１５２のＰＺＩＤ  Ｐ２を有するＰＺＩＤを更新する。無線装置１１０のＡ１０／Ａ１１は、図４のコールフロー４００の工程１０に示されるように、ターゲットセクタを現在正確に指示している。
【００４０】
図５に示されるように、無線装置１１０はトラフィック状態中にＩＴＳＰＭを介して現在のＰＺＩＤを受信し、アイドル状態へ移行するとＰＺＩＤ登録を更新する。無線装置１１０はアイドル状態において放浪し、アイドルモードハンドオフ工程を用いてＢＳＣからＢＳＣにハンドオフされる。アイドル状態中、無線装置１１０は延長システムパラメータメッセージ（ＥＳＰＭ）を介して現在のサービングＢＳＣから現在のＰＺＩＤを受信し、現在のＰＺＩＤがＰＺＩＤリストにない場合、コールフロー５００を開始する。
【００４１】
図６はデータ接続性（data connectivity）を維持するために無線装置１１０によって実行されるプロセス６００のフローダイアグラムを示している。まず、無線装置１１０はデータコールを介してデータセッションを確立し、データ接続はそのデータセッション用にセットアップされる（ブロック６１２）。その後、データセッションが休止中に無線装置１１０は第２のコールを受信あるいは発生し、トラフィック状態に移行する（ブロック６１４）。第２のコールは非データコール（non-data call)であり、例えば音声コールである。無線装置１１０は第２のコールについてのトラフィックデータを交換し（ブロック６１６）、第２のコール中に必要に応じてＢＳＣ間でハンドオフを実行する（ブロック６１８）。無線装置１１０は第２のコールが終了するとアイドル状態に移行する（ブロック６２０）。
【００４２】
その後、無線装置１１０は第２のコール中に新たなパケットゾーンに移動したかを判断する（ブロック６２２）。これは無線装置１１０が異なるパケットゾーンに位置するＢＳＣ間でハンドオフされた場合である。その判断は、アイドル状態へ移行すると現在のＰＺＩＤを確認して、その現在のＰＺＩＤがＰＺＩＤリストにあるかを判断することにより行われる。この判断は（１）第２のコールの開始時適用されるＰＺＩＤと第２のコールの終了時に適用されるＰＺＩＤとを確認すること、（２）これら２つのＰＺＩＤが異なるかを判断することによってもなされる。無線装置１１０が新たなパケットゾーンに移動すると、データセッションのデータ接続は更新される（ブロック６２４）。これは、送信すべきデータがないことを表示するために「０」に設定されるＤＲＳフィールドを有する発生メッセージを、（ハンドオフのターゲットＢＳＣである）現在のサービングＢＳＣに送信することにより達成される。ネットワークエンティティ（たとえばＢＳＣ１４２、ＰＣＦ１５２およびＰＤＳＮ１７０）は無線装置１１０の登録およびデータ接続を更新するために適切なアクションを実行する。無線装置１１０は必要に応じてそのＰＺＩＤ情報（たとえばＰＺＩＤリスト）を更新する（ブロック６２６）。
【００４３】
図７は無線装置１１０のデータ接続性を維持するためにターゲットＢＳＣ１４２によって実行されるプロセス７００のフローダイアグラムを示している。ターゲットＢＳＣ１４２はサービングＢＳＣ１４０からターゲットＢＳＣ１４２への無線装置のハンドオフに応答して、無線装置１１０の非データコール（例えば音声コール）をセットアップする（ブロック７１２）。無線装置は非データコール中に休止中データセッションを有している。ターゲットＢＳＣ１４２は非データコールについて無線装置１４２と通信し（工程７１４）、そうすべき表示を受信すると、非データコールを終了する（７１６）。その後、ターゲットＢＳＣ１４２は送信すべきデータがないという表示を有する発生メッセージを無線装置１１０から受信する（工程７１８）。この発生メッセージは非データコール中における無線装置１１０のパケットゾーンの変更に応答して送信された。ターゲットＢＳＣ１４２は無線装置１１０のデータセッションのデータ接続を更新する（工程７２０）。これはターゲットＰＣＦ１５２にＡ９セットアップＡ８を送信することにより達成される。ターゲットＢＳＣ１４２は発生メッセージの確認を無線装置１１０に送信し（工程７２２）、更に発生メッセージを終了するために開放命令を送信する（工程７２４）。
【００４４】
パケットゾーンにおいて変化が存在する場合、無線装置１１０は登録およびデータ接続を更新するため、図４〜７において示されている実施例は、正確な登録とデータ接続を維持するために必要なシグナリング量を削減している。さらに無線装置１１０がアイドル状態中に送信されるデータページを受信することができるように、無線装置１１０は非データコールの終わりにアイドル状態に入ると、登録およびデータ接続を更新する。無線装置１１０は非データコール中に任意数のパケットゾーンを越えて移動し、新たなパケットゾーン毎に登録およびデータ接続を更新する必要はない。
【００４５】
明らかにするために、技術はｃｄｍａ２０００によって定義される特定のメッセージを用いてｃｄｍａ２０００に関して具体的に上述されてきた。上記で特筆されているとおり、これらの技術は、コールおよびデータ接続の他のメッセージおよび手順を恐らく使用するであろう他の無線ネットワークにも用いられる。
【００４６】
図８は無線装置１１０の実施例のブロックダイアグラムを示している。この実施例に関して、無線装置１１０は無線ネットワーク１００、コントローラ／プロセッサ８４０およびメモリ８４２と双方向通信する無線モデムを含む。送信経路において、無線装置１１０により送信されるデータおよびシグナリングはエンコーダ８２２によって処理（たとえばフォーマット化、符号化およびインターリーブ）され、さらにデータチップの流れを生成するために変調器（Ｍｏｄ）８２４によって処理（例えば変調、拡散、チャネライズおよびスクランブル）される。送信機ユニット（ＴＭＴＲ）８３２はその後、アンテナ８３６を介して送信される逆リンクシグナルを生成するためにデータチップストリームを適応化（たとえばアナログ変換、フィルタリング、増幅および周波数上げ変換）する。受信経路において、ＢＴＳ１２０および／または他のＢＴＳによって送信される順方向リンク信号はアンテナ８３６によって受信され、受信機ユニット（ＲＣＶＲ）８３８に供給される。受信機ユニット８３８はデータサンプルを生成するために受信信号を適応化（たとえばフィルタリング、増幅、周波数下げ変換およびデジタル化）する。復調器（Ｄｅｍｏｄ）８２６はシンボル想定を取得するためにサンプルを処理（例えばデスクランブル、逆拡散、チャネライズおよび復調）する。デコーダ８２８はさらに復号化データを取得するためにシンボル想定を処理（例えばデインターリーブおよび復号化）する。エンコーダ８２２、変調器８２４、復調器８２６およびデコーダ８２８はモデムプロセッサ８２０により実施される。これらのユニットは無線ネットワークにより使用される無線技術（たとえばｃｄｍａ２０００）に従って処理を実行する。
【００４７】
コントローラ／プロセッサ８４０は無線装置１１０内の様々なユニットの動作を指示する。コントローラ／プロセッサ８４０は図４のコールフロー４００、図５のコールフロー５００および／または図６のプロセス６００を実行する。メモリユニット８４２はコントローラ／プロセッサ８４０および他のユニットによって使用されるプログラムコードおよびデータを保存する。
【００４８】
図８に示される実施例に関して、ＢＳＣ１４０／１４２はＢＳＣの処理を実行するプロセッサ８５０と、プロセッサ８５０のプログラムコードおよびデータを保存するメモリユニット８５２と、ＢＴＳ１２０／１２２、ＰＣＦ１５０／１５２およびＭＳＣ１６０と通信することをＢＳＣに許可する通信ユニット８５４とを含む。一般的に各ネットワークエンティティは１以上のプロセッサ、メモリユニット、通信ユニット、コントローラなどを含む。
【００４９】
図９は無線装置１１０内のコントローラ／プロセッサ８４０の実施例を示している。コントローラ／プロセッサ８４０において、上位層アプリケーション９１０はたとえばデータサービス、ユーザブラウザ、Ｅメールクライアントなどを提供するデータアプリケーションのような様々なエンドユーザアプリケーションを含む。データアプリケーションはパケットデータコールを発生するための要求を生成する。共通データプロトコルモジュール９１２は、たとえば送信制御プロトコル（ＴＣＰ）、ユーザデータグラムプロトコル（ＵＤＰ）、ＩＰなどのようなパケットデータ用の様々なプロトコルをサポートする。ネットワーク専用プロトコルモジュール９１４は、たとえばＰＰＰ、無線リンクプロトコル（ＲＬＰ）などのような無線ネットワークにより使用される様々なプロトコルをサポートする。
【００５０】
コール制御モジュール９１６はコール（たとえばデータおよび音声コール）の確立および解体を制御し、コールの発生を要求し、無線装置の無線ネットワークとパケットゾーンのトラックを維持する。コールマネージャ９１８はコールを管理し、データの発生および他の種類のコールを制御し、それらのコールの状態のトラックを維持する。コール処理モジュール９２０は無線ネットワークと交換されるシグナリングの処理を実行する。送信（ＴＸ）モジュール９２２は無線モデムの送信部の動作を制御する。受信（ＲＸ）モジュール９２４は無線モデムの受信部の動作を制御する。上位層アプリケーション９１０はネットワーク専用プロトコルモジュール９１４を使用する共通データプロトコルモジュール９１２と通信する。コール制御モジュール９１６は上位層アプリケーションをサポートし、コール処理モジュール９２０とさらに通信するコールマネージャ９１８と通信する。モジュール９２０はＴＸモジュール９２２とＲＸモジュール９２４とを仲介する。
【００５１】
ある実施例において、データセッションの正確な登録とデータ接続を維持するために、コール処理モジュール９２０は現在のＰＺＩＤおよびたとえばメモリユニット８４２内の以前のＰＺＩＤを保存する。現在のＰＺＩＤは、トラフィック状態中にＩＴＳＰＭを介してあるいはアイドル状態中にＥＳＰＭを介して取得される。コール処理モジュール９２０はＰＺＩＤに変化があるときは常にコール制御モジュール９１６に通知する。コール制御モジュール９１６はたとえばメモリユニット８４２にＰＺＩＤリストを保存する。コール制御モジュール９１６はアイドル状態に移行すると各コールの終わりに現在のＰＺＩＤのコール処理モジュール９２０を照会し、現在のＰＺＩＤがＰＺＩＤリストにない場合、図５のコールフロー５００を開始する。正しい登録およびデータ接続もまた他のモジュールとは別の方法で維持される。
【００５２】
ここに記載の技術は様々な方法で実施される。たとえばこれらの技術はハードウエア、ソフトウエアあるいはそれらの組み合わせにおいて実施されてもよい。ハードウエア実装について、休止中データセッション中に登録を更新してデータ接続を維持するために使用される処理ユニット（たとえば図８および９におけるコントローラ／プロセッサ８４０）は１以上の特定用途向け集積回路（ＡＳＩＣ）、デジタル信号プロセッサ（ＤＳＰ）、デジタル信号処理装置（ＤＳＰＤ）、プログラム可能な論理素子（ＰＬＤ）、ユーザ自身が書き込み可能なゲートアレイ（ＦＰＧＡ）、プロセッサ、コントローラ、マイクロコントローラ、マイクロプロセッサ、電子機器、ここに記載の機能を実行するよう設計された他の電子ユニット、あるいはこれらの組み合わせにおいて実施される。
【００５３】
ソフトウエア実装について、技術（たとえば図９のモジュール９１２〜９２０）はここに記載の機能を実行するモジュール（たとえば手順、機能など）を用いて実行される。ソフトウエアコードはメモリユニット（たとえば図８のメモリユニット８４２）に保存され、プロセッサ（たとえばコントローラ／プロセッサ８４０）によって実行される。メモリユニットはプロセッサ内であるいはプロセッサ外で実施される。
【００５４】
開示されている実施例の上記記載は当業者が本発明を実行あるいは使用可能にするために提供される。それらの実施例の様々な改良は当業者にとって自明であり、ここに定義される一般的原理は本発明の精神もしくは範囲を逸脱しない範囲で他の実施例に適用されてもよい。従って、本発明はここに示されている実施例に限定されるものではなく、ここに開示の原理および新規の特徴と合致するもっとも広い範囲に従う。
【図面の簡単な説明】
【００５５】
【図１】本願の無線通信ネットワークを示す図。
【図２】本願の無線装置によるパケットデータコール発生のコールフローを示す図。
【図３】本願のデータセッションが休止中の異なるパケットゾーンにおけるＢＳＣ間のハンドオフを用いた音声コールのコールフローを示す図。
【図４】本願のデータセッションが休止中にハンドオフを用いた音声コールおよび、登録およびデータ接続を更新するコールフローを示す図。
【図５】本願の登録およびデータ接続を更新するコールフローを示す図。
【図６】本願のデータ接続性を維持するために無線装置によって行われる工程を示す図。
【図７】本願の無線装置用のデータ接続性を維持するためにＢＳＣによって実行される工程を示す図。
【図８】本願の無線装置のブロックダイアグラムを示す図。
【図９】本願の無線装置内のコントローラ／プロセッサを示す図。
【図１】
2009509419.tif 000003
【図２】
2009509419.tif 000004
【図３】
2009509419.tif 000005
【図４】
2009509419.tif 000006
【図５】
2009509419.tif 000007
【図６】
2009509419.tif 000008
【図７】
2009509419.tif 000009
【図８】
2009509419.tif 000010
【図９】
2009509419.tif 000011
【国際調査報告】
2009509419.tif 000012
2009509419.tif 000013
2009509419.tif 000014